(57)【要約】【課題】光を利用した多種多様な加飾が得られるようにして、特徴的で固有の雰囲気を醸し出させる美的もしくは斬新で新奇な装飾効果を生じさせることができる収納ケースを提供する。【解決手段】ケース本体５内に収納物を収納する中皿６が装着された収納ケース１において、ケース本体５と中皿６との間に光源装置７を設けるとともに、ケース本体５を透光性素材で形成して、光源装置７の光を透過させるようにした。中皿６を透光性素材で形成して、光源装置７の光を透過させるようにした。光源装置７は、ＲＧＢ光源１８と、ＲＧＢ光源の発光をコントロールするコントローラを実装した電子基板１９と、これらコントローラおよびＲＧＢ光源１８に電力を供給するバッテリ２０とから構成した。【選択図】          図２
2004338747.tif 000002
【特許請求の範囲】
【請求項１】
ケース本体内に収納物を収納する中皿が装着された収納ケースにおいて、上記ケース本体と上記中皿との間に光源装置を設けるとともに、上記ケース本体に、上記光源装置の光を透過させる光透過部を形成したことを特徴とする収納ケース。
【請求項２】
前記中皿に、前記光源装置の光を透過させる光透過部を形成したことを特徴とする請求項１に記載の収納ケース。
【請求項３】
前記ケース本体に代えて前記中皿に、前記光源装置の光を透過させる光透過部を形成したことを特徴とする請求項１に記載の収納ケース。
【請求項４】
前記光源装置は、光源と、該光源の発光をコントロールするコントローラと、これらコントローラおよび光源に電力を供給するバッテリとからなることを特徴とする請求項１〜３いずれかの項に記載の収納ケース。
【発明の詳細な説明】
【０００１】
【発明の属する技術分野】
本発明は、光を利用した多種多様な加飾が得られるようにして、特徴的で固有の雰囲気を醸し出させる美的もしくは斬新で新奇な装飾効果を生じさせることができる収納ケースに関する。
【０００２】
【従来の技術】
一般に、各種の容器では、そのデザイン性を高めるために、従来からさまざまな方法によって加飾が施されている。例えば、塗装などにより着色したり、スパッタリングなどによって表面処理を行ったり、プレート材や転写シートを用いて平面的あるいは立体的に文字や模様などを施したり、模様などを付した上に透明・半透明の層を重ねたり、写真などのシート材を挿入する部分を備えるなどして、容器の表面に装飾を施すようにしていた（例えば、特許文献１〜８参照）。
【０００３】
他方、光源を備えた容器として、特許文献９に開示されたものが知られている。しかしながら、この「光源を有する携帯用容器」は、照明という観点のみに着目したものであって、光源によって容器にもたらすことが可能な多様な演出効果を有効かつ十分に利用することができていない。詳細には、光源と鏡との関係において、光源は鏡とは別の位置に設けられ、光源は顔などを照らし出すだけであり、また鏡は照らし出された顔を映し出すだけであって、それらの機能を個々に利用しているにすぎなかった。
【０００４】
なお、本願出願人は、関連する先行出願として、特願２００２−２２１１８９号および特願２００３−１１６２８９号を出願している。
【０００５】
【特許文献１】
特開昭５４−８３９６１号公報
【特許文献２】
実開昭５８−１７９０１２号公報
【特許文献３】
実開昭５８−１７９０１３号公報
【特許文献４】
実開昭５８−１７９０１４号公報
【特許文献５】
実開昭５９−１３１０号公報
【特許文献６】
実開昭５９−４５０１７号公報
【特許文献７】
特公平１−３７２４８号公報
【特許文献８】
特開平７−８８８９０号公報
【特許文献９】
特開平１１−１０２６０１号公報
【０００６】
【発明が解決しようとする課題】
上記従来の技術で得られる加飾はいずれも、既にありきたりなものであり、装飾を施すという技術面から見ると、限界があった。
【０００７】
ここに本発明者は、上述したようなこれまでの加飾技術では考えられていなかった、光源からの光を利用することに着目し、光によって加飾を行うことによって、収納ケースに、今まで見たことのない美的装飾効果を与え得るとの知見を得て、本発明を完成するに至ったものである。
【０００８】
本発明は上記従来の課題に鑑みて創案されたものであって、光を利用した多種多様な加飾が得られるようにして、特徴的で固有の雰囲気を醸し出させる美的もしくは斬新で新奇な装飾効果を生じさせることができる収納ケースを提供することを目的とする。
【０００９】
【課題を解決するための手段】
本発明にかかる収納ケースは、ケース本体内に収納物を収納する中皿が装着された収納ケースにおいて、上記ケース本体と上記中皿との間に光源装置を設けるとともに、上記ケース本体に、上記光源装置の光を透過させる光透過部を形成したことを特徴とする。
【００１０】
ケース本体と中皿との間に設けた光源装置からの光を、ケース本体に形成した光透過部から外方へ透過させて、光透過部やその周辺が照らし出されるようにしていて、光透過部によってケース本体の表面に、光を利用した多種多様な加飾を得ることが可能になり、収納ケースに、特徴的で固有の雰囲気を醸し出させる美的もしくは斬新で新奇な装飾効果を生じさせ得る。
【００１１】
また、前記中皿に、前記光源装置の光を透過させる光透過部を形成したことを特徴とする。光源装置からの光を、中皿に形成した光透過部から外方へ透過させて、光透過部やその周辺が照らし出されるようにしていて、光透過部によってケース本体のみならず中皿の表面にも、光を利用した多種多様な加飾を得ることが可能になり、収納ケースに、光を利用した演出効果を得ることが可能になる。
【００１２】
他方、前記ケース本体に代えて前記中皿に、前記光源装置の光を透過させる光透過部を形成したことを特徴とする。ケース本体に代えて中皿に形成した光透過部を介して、光源装置からの光を外方へ透過させて、光透過部やその周辺が照らし出されるようにしていて、光透過部によって中皿の表面に、光を利用した多種多様な加飾を得ることが可能になり、収納ケースに、特徴的で固有の雰囲気を醸し出させる美的もしくは斬新で新奇な装飾効果を生じさせ得る。
【００１３】
また、前記光源装置は、光源と、該光源の発光をコントロールするコントローラと、これらコントローラおよび光源に電力を供給するバッテリとからなることを特徴とする。コントローラで光源の発光をコントロールするようにしていて、これにより視覚的に訴える、光による多種多様な演出効果が得られ、収納ケースに、特徴的で固有の雰囲気を醸し出させる美的もしくは斬新で新奇な装飾を施すことが可能となる。
【００１４】
【発明の実施の形態】
以下に、本発明にかかる収納ケースの好適な実施形態を、添付図面を参照して詳細に説明する。第１の実施形態にかかる収納ケース１は図１および図２に示すように、底壁２およびこの底壁２の周縁部から上方へ立ち上げて形成された外周壁３によって内部に凹所４が区画形成される皿状のケース本体５と、このケース本体５に装着され、各種の収納物を収納する中皿６と、中皿６とケース本体５との間に設けられる光源装置７と、ケース本体５の一端にヒンジ８を介して回動自在に連結されてケース本体５を開閉するとともに、ケース本体５の他端にフック手段９を介して係脱自在に係合されて当該ケース本体５を閉止状態に維持する蓋体１０と、蓋体１０の裏面に設けられる鏡板１１とから主に構成される。
【００１５】
図示例にあっては、収納ケース１として、中皿６に、化粧料Ｐが収納された携帯用の化粧料容器が示されている。しかしながら、収納ケース１としては、このような化粧料容器に限らず、中皿６に宝石や装身具など、いかなる収納物を収納するものであっても良いことはもちろんである。
【００１６】
中皿６について説明すると、この中皿６は、ケース本体５の凹所４の平面内径寸法よりも小さな平面外形寸法で形成された底板部１２と、この底板部１２の周縁から上方へ向かって立ち上げて、凹所４の深さよりも低い高さで形成され、底板部１２上に化粧料Ｐの収納空間１３を区画形成する環状壁部１４と、この環状壁部１４の上端周縁から外方へ突出させて形成され、ケース本体５の外周壁３上端に係脱自在に係止される環状フランジ部１５とから構成され、これにより中皿６は、ケース本体５の底壁２から浮かせて当該底壁２との間に上下方向の隙間を隔てた状態で、ケース本体５の凹所４内に装着される。
【００１７】
そして本実施形態にあっては、この中皿６とケース本体５との間の隙間に、中皿６の底板部１２から下方へ向けて突出された環状リブ１６によって取り囲まれる窪み部１７に組み込んで、光源装置７が設けられる。光源装置７は、ケース本体５の底壁２に向けて配置されるＲＧＢ光源１８と、このＲＧＢ光源１８の各色の発光量をコントロールするコントローラを構成する電子部品が実装された電子基板１９と、これら電子基板１９およびこれを介してＲＧＢ光源１８に電力を供給するボタン型電池などのバッテリ２０とから構成される。ＲＧＢ光源１８は電子基板１９上に直接実装されている。
【００１８】
ＲＧＢ光源１８としては、ＬＥＤや有機エレクトロルミネセンス（ＥＬ）素子など、従来知られている各種のものを採用することができる。コントローラを構成する電子部品には、ＲＧＢ光源１８の発光をコントロールするプログラミングが書き込まれたＩＣチップ等の制御素子が含まれ、図示しないスイッチによってバッテリ２０から電力が供給されることにより、プログラミングに従ってＲＧＢ光源１８を発光させる。
【００１９】
ＲＧＢ光源１８の発光のさせ方としては、例えば全体の発光量を増減させてゆっくりと明滅させながら、この明滅の間に、赤、緑および青の発光割合を順次変化させてさまざまな色合いで発光させたり、あるいは短い時間間隔で明滅させながらそのたびにさまざまな色に変えて発色させるなど、どのようなプログラミングを制御素子に格納してもよい。光源としては、ＲＧＢ光源１８に限らず、単色光の光源であってもよいことはもちろんである。
【００２０】
そして特に、ケース本体５には、ＲＧＢ光源１８の光を透過させる光透過部が形成される。本実施形態にあっては、ケース本体５全体が、無色もしくは有色の、透明あるいは半透明の合成樹脂材やガラス材、クリスタル材などの透光性の素材で形成されて、当該ケース本体５全体が光透過部として形成される。そしてケース本体５は、ＲＧＢ光源１８からの光を凹所４内から外方へと照射させて、その全体が当該光によって照らし出されるようになっている。また、本実施形態にあっては中皿６も、ケース本体５と同様に、その全体が透光性の素材で形成されて光透過部として形成され、ＲＧＢ光源１８の光が環状フランジ部１５から外方へ照射されて、収納空間１３の周囲が照らし出されるようになっている。
【００２１】
次に、上記構成を備える本実施形態の収納ケース１の作用について説明する。図示しないスイッチを入れると、バッテリ２０からＲＧＢ光源１８や電子基板１９に電力が供給され、ＲＧＢ光源１８は、制御素子に書き込まれたプログラミングに従って、明滅などしながら多種多様な色合いや明るさで発光する。このＲＧＢ光源１８の光は、光透過部としてのケース本体５全体から外部へ向かって照射され、ケース本体５表面全体を様々な態様で照らし出す。また、蓋体１０を開いている場合には、環状フランジ部１５を透過するＲＧＢ光源１８の光によって、中皿６の収納空間１３周りも様々な態様で照らし出される。スイッチを切ると、ＲＧＢ光源１８は消灯される。
【００２２】
このように以上説明した本実施形態にかかる収納ケース１にあっては、ケース本体５と中皿６との間に設けた光源装置７からの光が、その全体を透光性素材で形成したケース本体５内方から外方へ透過されて、ケース本体５の表面全体が照らし出されるようになっている。これにより、ケース本体５の表面に、光を利用した多種多様な加飾を得ることができ、収納ケース１に、特徴的で固有の雰囲気を醸し出させる美的もしくは斬新で新奇な装飾効果を生じさせることができる。
【００２３】
また、中皿６もその全体を透光性素材で形成して、これにより光透過部が形成されるようにしていて、光源装置７の光が中皿６の環状フランジ部１５から外方へ透過されて、収納空間１３の周辺が照らし出されるようになっている。これにより、ケース本体５のみならず中皿６にも、光を利用した多種多様な加飾を施すことができ、収納ケース１に、光を利用した演出効果を得ることができる。
【００２４】
さらに、光源装置７を、ＲＧＢ光源１８と、ＲＧＢ光源１８の発光をコントロールするコントローラを搭載した電子基板１９と、これら電子基板１９およびＲＧＢ光源１８に電力を供給するバッテリ２０とから構成し、コントローラでＲＧＢ光源１８の発光をコントロールするようにしたので、これにより視覚的に訴える、光による多種多様な演出効果を得ることができ、収納ケース１に、特徴的で固有の雰囲気を醸し出させる美的もしくは斬新で新奇な装飾を施すことができる。
【００２５】
上記実施形態にあっては、中皿６にも光透過部を形成するようにその全体を透光性素材で形成するようにしたが、これに代えてその全体を遮光性の素材で形成してもよいことはもちろんである。
【００２６】
図３および図４には、第２の実施形態が示されている。この実施形態にあっては主に、中皿６の収納空間１３がＲＧＢ光源１８からの光で照らし出されるようになっていて、宝石などを収納する収納ケース１に適用して好ましいものである。この実施形態では、ケース本体５が遮光性の素材で形成されるとともに、このケース本体５側にその底壁２で外部から隠蔽して、光源装置７が設けられる。他方、中皿６全体は、無色もしくは有色の、透明あるいは半透明の合成樹脂材やガラス材、クリスタル材などの透光性素材で形成されて、当該中皿６全体が光透過部として形成される。
【００２７】
そして中皿６は、ＲＧＢ光源１８からの光を収納空間１３やその周囲の環状フランジ部１５へと透過させて、その全体が当該光によって照らし出されるようになっている。このような第２の実施形態にあっても、第１の実施形態と同様な作用・効果を得ることができることはもちろんである。
【００２８】
図５および図６には、第３の実施形態が示されている。この実施形態では、第２の実施形態の中皿６の形態が変更され、収納空間１３内にこれを縦横に仕切る仕切り壁２１が形成されている。この仕切り壁２１は、一対の立て壁２２同士の上端間を頂板２３で連結するようにした中空構造として形成される。このような第３の実施形態であっても、上記実施形態と同様な作用・効果が得られることはもちろんであり、特に仕切り壁２１もＲＧＢ光源１８の光で照らし出されることとなって、さらに装飾効果を高めることが可能である。
【００２９】
上記いずれの実施形態にあっても、ケース本体５あるいは中皿６を、その全体を透光性素材で形成して、全体が照らし出されるようにした場合について説明したが、光透過部を、これらケース本体５等に部分的に形成するようにしてもよいことはもちろんである。
【００３０】
光透過部を部分的に形成する場合は、その他の部分が光源装置７からの光を遮るように構成すればよく、例えば、部分的に打ち抜き部などを形成した不透明のシート材や樹脂成形部品などの遮光性マスクを、ケース本体５や中皿６にインサート成形によって設けるようにすれば、これにより当該遮光性マスクの打ち抜き部によって部分的な光透過部を形成することができる。遮光性マスクについては、不透明塗料をケース本体５等に部分的に塗装することによっても形成することができる。遮光性マスクについてはさらにまた、デザインに従って打ち抜いた金属板の装着や、スパッタリングなどの方法によってもよいことはもちろんである。
【００３１】
また他方、ケース本体５や中皿６を全体的に遮光性の合成樹脂材で形成する一方で、これらケース本体５等に対して、無色もしくは有色の、透明あるいは半透明の合成樹脂材やガラス材、クリスタル材などの透光性ピースを別部品として組み込むことでも、光透過部を部分的に形成することができる。この場合にも、インサート成形を利用すれば、当該透光性ピースを簡単に合成樹脂製のケース本体５等に設けることができる。
【００３２】
このように部分的に光透過部を形成するようにすれば、文字やマーク、そのほか所望のデザインに従って任意形状の各種形態の光透過部をケース本体５等に形成できることとなり、さらに優れた装飾効果を得ることができる。
【００３３】
【発明の効果】
以上要するに、本発明にかかる収納ケースにあっては、光を利用した多種多様な加飾が得られるようにして、特徴的で固有の雰囲気を醸し出させる美的もしくは斬新で新奇な装飾効果を生じさせることができる。
【図面の簡単な説明】
【図１】本発明にかかる収納ケースの第１の実施形態を示す斜視図である。
【図２】図１に示した収納ケースの側断面図である。
【図３】本発明にかかる収納ケースの第２の実施形態を示す斜視図である。
【図４】図３に示した収納ケースの側断面図である。
【図５】本発明にかかる収納ケースの第３の実施形態を示す斜視図である。
【図６】図５に示した収納ケースの側断面図である。
【符号の説明】
１  収納ケース                      ５  ケース本体
６  中皿                            ７  光源装置
１８  ＲＧＢ光源                    １９  電子基板
２０  バッテリ
【図１】
2004338747.tif 000003
【図２】
2004338747.tif 000004
【図３】
2004338747.tif 000005
【図４】
2004338747.tif 000006
【図５】
2004338747.tif 000007
【図６】
2004338747.tif 000008